(57)【要約】  地上システム２のフライト情報クライアント７は、フライト情報の配信元のフライト情報サーバ５からデータを取得する。フライト情報クライアント７は、取得したデータを列車上での案内画面での表示に最適な形に加工する。フライト情報クライアント７により加工された加工データは、情報伝送装置８により地上−車上間ネットワーク４を経由して列車上の表示制御サーバ１２に送信される。表示制御サーバ１２は、列車内ネットワーク１４経由で、各車両に搭載された表示制御装置１５に加工データを送信する。表示制御装置１５は、当該加工データから画面生成を行い、当該画面を表示器１７に表示する。これにより、列車内で最新のフライト情報を表示することができる。
2010140517.tif 000002
【特許請求の範囲】
【請求項１】
フライト情報の配信元のフライト情報サーバから広域ネットワーク経由でフライト情報に関するデータを取得し、このデータを列車内の乗客に表示する際に視認性を確保した表示に適した形に加工した加工データを作成するフライト情報クライアントを含む地上システムと、
前記列車に搭載され前記フライト情報クライアントから無線通信により送信された前記加工データを受信する表示制御サーバと、当該列車の各車両に搭載され前記表示制御サーバにより列車内ネットワークを介して配信された前記加工データから表示画面を作成する表示制御装置と、前記各車両に搭載され前記表示制御装置の作成した表示画面を表示する表示器と、を含む車上システムと、
前記地上システムと前記車上システムとを無線通信で接続する地上−車上間ネットワークと、
を備えることを特徴とする列車搭載フライト情報表示システム。
【請求項２】
前記フライト情報クライアントは、前記表示画面の大きさに応じて前記フライト情報サーバから配信されたデータの中から表示項目を選択したものを前記加工データとすることを特徴とする請求項１に記載の列車搭載フライト情報表示システム。
【請求項３】
前記フライト情報クライアントは、前記表示項目の一つである航空機の便については、前記列車の空港への到着予定時刻以降または到着予定時刻から一定時間以降の発着便を対象に表示するように便を選択して前記加工データを作成することを特徴とする請求項１または２に記載の列車搭載フライト情報表示システム。
【請求項４】
前記フライト情報クライアントは、前記加工データの表示項目に対して、その表示内容が前記表示項目に対して割り当てられた表示画面上の表示枠内にその字数制限を越えるために表示できない場合には、前記表示枠に応じて決まる一定文字数のみを表示するとともに表示できない部分を省略記号で置き換えて表示するように前記加工データを作成することを特徴とする請求項１〜３のいずれか１項に記載の列車搭載フライト情報表示システム。
【請求項５】
前記フライト情報クライアントは、前記加工データの表示項目に対して、前記表示項目の内容をそれと等価なコードに置き換えて表示するように前記加工データを作成することを特徴とする請求項１〜４のいずれか１項に記載の列車搭載フライト情報表示システム。
【請求項６】
前記表示制御装置は、出発案内として、出発時刻（定刻）、変更時刻、便名、目的地、状況、およびターミナルを表示項目として含む表示画面を作成することを特徴とする請求項１〜５のいずれか１項に記載の列車搭載フライト情報表示システム。
【請求項７】
前記表示制御装置は、到着案内として、到着時刻（定刻）、変更時刻、便名、出発地、状況、およびターミナルを表示項目として含む表示画面を作成することを特徴とする請求項１〜６のいずれか１項に記載の列車搭載フライト情報表示システム。
【請求項８】
前記各車両には２台１組で前記表示器が並べて設置されており、
前記表示制御装置は、一方の表示器による表示と他方の表示器による表示とを同期させて表示することを特徴とする請求項１〜７のいずれか１項に記載の列車搭載フライト情報表示システム。
【請求項９】
前記一方の表示器には日本語による表示を行い、前記他方の表示器には日本語以外の言語による表示を同期させて表示することを特徴とする請求項８に記載の列車搭載フライト情報表示システム。
【請求項１０】
フライト情報の配信元のフライト情報サーバから広域ネットワーク経由でフライト情報に関するデータを取得するフライト情報クライアントを含む地上システムと、
列車に搭載され前記フライト情報クライアントから無線通信により送信された前記データを受信し、前記データを前記列車内の乗客に表示する際に視認性を確保した表示に適した形に加工した加工データを作成する表示制御サーバと、当該列車の各車両に搭載され前記表示制御サーバにより列車内ネットワークを介して配信された前記加工データから表示画面を作成する表示制御装置と、前記各車両に搭載され前記表示制御装置の作成した表示画面を表示する表示器と、を含む車上システムと、
前記地上システムと前記車上システムとを無線通信で接続する地上−車上間ネットワークと、
を備えることを特徴とする列車搭載フライト情報表示システム。
【請求項１１】
フライト情報の配信元のフライト情報サーバから広域ネットワーク経由でフライト情報に関するデータを取得するフライト情報クライアントを含む地上システムと、
列車に搭載され前記フライト情報クライアントから無線通信により送信された前記データを受信する表示制御サーバと、当該列車の各車両に搭載され前記表示制御サーバにより列車内ネットワークを介して配信された前記データを前記列車内の乗客に表示する際に視認性を確保した表示に適した形に加工した加工データを作成し、この加工データから表示画面を作成する表示制御装置と、前記各車両に搭載され前記表示制御装置の作成した表示画面を表示する表示器と、を含む車上システムと、
前記地上システムと前記車上システムとを無線通信で接続する地上−車上間ネットワークと、
を備えることを特徴とする列車搭載フライト情報表示システム。
【請求項１２】
配信元から提供されるフライト情報に関するデータから列車上の表示画面の大きさに応じて表示項目を選択して第１加工データを作成する第１のデータ加工部と、
前記第１加工データの表示項目の内容を加工して第２加工データを作成する第２のデータ加工部と、
前記列車の各車両に搭載され前記第２加工データから表示画面を作成する表示制御装置と、
前記各車両に搭載され前記表示制御装置の作成した表示画面を表示する表示器と、
を備えることを特徴とする列車搭載フライト情報表示システム。
【発明の詳細な説明】
【技術分野】
【０００１】
本発明は、列車内に設置された表示器に案内映像を表示するシステムに関し、特にフライト情報を表示するシステムに関するものである。
【背景技術】
【０００２】
従来の列車内の案内映像表示システムは、次駅案内等の予め用意された情報を所定のタイミングで表示する他に、ダイヤ乱れの発生時に地上システムから配信される遅延等に関する運行情報の表示機能も具備する。このようなシステムとしては、例えば特許文献１に記載されたシステムがある。【０００３】
近年、多くの列車に案内映像表示システムが搭載されており、列車毎に求められる表示示内容も多様化している。空港行きの列車については、乗客の大半が航空機を利用して国内外へ出発するか、または空港へ送迎などに行く。このような列車内で求められる情報としては、空港施設案内、各ターミナルの航空会社案内、およびフライト情報等がある。
【先行技術文献】
【特許文献】
【０００４】
【特許文献１】特開２００２−２０９１９３号公報
【発明の概要】
【発明が解決しようとする課題】
【０００５】
しかしながら、空港行きの列車の乗客は、これまでは空港に到着しないと搭乗便の状況（時刻変更の有無、搭乗開始情報等）を把握することができなかった。【０００６】
本発明は、上記に鑑みてなされたものであって、列車内で最新のフライト情報を表示することができる列車搭載フライト情報表示システムを提供することを目的とする。
【課題を解決するための手段】
【０００７】
上述した課題を解決し、目的を達成するために、本発明にかかる列車搭載フライト情報表示システムは、フライト情報の配信元のフライト情報サーバから広域ネットワーク経由でフライト情報に関するデータを取得し、このデータを列車内の乗客に表示する際に視認性を確保した表示に適した形に加工した加工データを作成するフライト情報クライアントを含む地上システムと、前記列車に搭載され前記フライト情報クライアントから無線通信により送信された前記加工データを受信する表示制御サーバと、当該列車の各車両に搭載され前記表示制御サーバにより列車内ネットワークを介して配信された前記加工データから表示画面を作成する表示制御装置と、前記各車両に搭載され前記表示制御装置の作成した表示画面を表示する表示器と、を含む車上システムと、前記地上システムと前記車上システムとを無線通信で接続する地上−車上間ネットワークと、を備えることを特徴とする。
【発明の効果】
【０００８】
本発明によれば、列車内でも最新のフライト情報の表示が可能となり、乗客は空港到着までに列車内での表示画面から自分が必要とするフライト情報を取得することができる。また、列車内では設置スペースの制約から表示器の画面の大きさにも制限があるが、配信元からのデータを加工することで、列車内に適した表示を行うことが可能となり、視認性を確保することができる。
【図面の簡単な説明】
【０００９】
【図１】図１は、実施の形態１にかかる列車搭載フライト情報表示システムの構成を示す図である。
【図２】図２は、実施の形態１におけるフライト情報の画面表示の一例を示す図である。
【図３】図３は、実施の形態１におけるフライト情報の画面表示の別の一例を示す図である。
【図４】図４は、実施の形態１におけるフライト情報の画面表示のさらに別の一例を示す図である。
【図５】図５は、実施の形態３にかかる列車搭載フライト情報表示システムの機能構成を説明するためのブロック図である。
【発明を実施するための形態】
【００１０】
以下に、本発明にかかる列車搭載フライト情報表示システムの実施の形態を図面に基づいて詳細に説明する。なお、この実施の形態によりこの発明が限定されるものではない。
【００１１】
実施の形態１．
図１は、本実施の形態にかかる列車搭載フライト情報表示システムの構成を示す図である。図１に示すように、列車搭載フライト情報表示システム１は、地上システム２と、車上システム３と、地上−車上間ネットワーク４とを備えて構成される。また、地上システム２は広域ネットワーク６を介してフライト情報の配信元であるフライト情報サーバ５と接続されている。
【００１２】
地上システム２は、フライト情報クライアント７と、情報伝送装置８と、記憶装置９と、を備えて構成される。フライト情報クライアント７は、フライト情報サーバ５から広域ネットワーク６（インターネットまたは専用線等）を経由してフライト情報を取得する。フライト情報クライアント７は、例えば定期的にフライト情報サーバ５に対してフライト情報の配信要求を行い、フライト情報サーバ５から最新のフライト情報に関するデータの提供を受け、取得したデータを記憶装置９に保存する。フライト情報サーバ５とフライト情報クライアント７は、それぞれＣＰＵ，メモリ等を備えて所定のソフトウェアに従って動作するコンピュータにより実現され、いわゆるサーバ−クライアントシステムを構成している。
【００１３】
ところで、フライト情報サーバ５から配信されるフライト情報は、空港等での表示にも使用されるためデータ項目が多い。他方、車上の表示画面は空港等での表示画面のように画面サイズが大きくないので、配信される情報をそのまま表示すると文字サイズが小さくなり、視認性が低下するなどの問題点がある。また、車上では、表示器は主にドア上または天井部に設置されるなどその設置場所も制限されているため、乗客に表示する際の視認性の確保が課題となる。さらにまた、車上でのデバイスの制約から表示画面の解像度も一般品ほど高くはない（例えばＷＸＧＡ，ＸＧＡ）ことから、視認性の確保が課題となり、例えば１画面に表示する件数等についても検討を要する。そのため、車上での表示に際しては、視認性を確保できるように、表示内容、レイアウト、一度に表示する件数、表示時間および表示方法等の工夫が必要となる。そこで、本実施の形態では、フライト情報クライアント７は、フライト情報サーバ５から取得したデータを車上の案内画面での表示に適した形に加工し、この加工データを記憶装置９に保存しておく。したがって、記憶装置９には最新の加工データが記憶されている。データ加工の詳細については後述する。
【００１４】
情報伝送装置８は、地上−車上間ネットワーク４を経由して無線通信により記憶装置９に保存されたフライト情報に関するデータ（この場合、加工データ）を車上システム３に送信する。送信は例えば一定周期で行われる。地上−車上間ネットワーク４は、地上−車上間で無線通信を行うための通信網であり、路線の各所に地上側無線装置を備え、車上の無線装置１１との間で無線通信を行う。
【００１５】
車上システム３は、列車上に構築されたシステムであり、無線装置１１と、この無線装置１１に接続された表示制御サーバ１２と、この表示制御サーバ１２に接続された記憶装置１３と、表示制御サーバ１２に接続され各車両に設置された表示制御装置１５と、各表示制御装置１５に接続された記憶装置１６と、各表示装置に接続された表示器１７と、車両間に配設された列車内ネットワーク１４と、を備えて構成される。
【００１６】
列車は、車両１〜車両Ｎの編成からなり（Ｎは１以上の整数）、例えば車両１には無線装置１１、表示制御サーバ１２、および記憶装置１３が搭載されている。無線装置１１は、地上システム２から送信された加工データを受信し、この加工データを表示制御サーバ１２に送信する。表示制御サーバ１２は、加工データを受信して記憶装置１３に保存し、また、列車内ネットワーク１４を介して保存した加工データを各車両にそれぞれ搭載された表示制御装置１５に適時配信する。表示制御サーバ１２は、ＣＰＵ，メモリ等を備え、所定のソフトウェアに従って動作するコンピュータにより実現される。表示制御装置１５は、ＣＰＵ、メモリ等を備えた制御装置であって、受信した加工データを記憶装置１６に保存するとともに、最新の加工データに基づいて画面作成を行い、表示器１７にて当該画面を表示させる。表示器１７は、各車両にそれぞれ１または複数台搭載され、図示例では複数台搭載されている。
【００１７】
なお、本実施の形態では、情報伝送装置８から地上−車上間ネットワーク４、無線装置１１、表示制御サーバ１２を介して各車両に設置された表示制御装置１５にデータを送信している。これは、地上−車上間ネットワーク４のような無線ネットワークではブロードキャスト通信を遮断していることが多く、そのような場合は地上の情報伝送装置８から車上の複数台の表示制御装置１５に直接送信できないからである。そこで、表示制御サーバ１２宛のユニキャスト送信とすることで、地上−車上間ネットワーク４のポリシーに依存しないシステム構成とすることができる。ただし、地上−車上間ネットワーク４がブロードキャスト通信を許可している場合はこの限りではなく、地上−車上間ネットワーク４から各表示制御装置１５へ直接送信する構成も可能である。
【００１８】
次に、データ加工の詳細について説明する。本実施の形態では、以下に説明するデータ加工はすべて地上システム２、詳細にはフライト情報クライアント７にて実施される。すなわち、フライト情報クライアント７はデータ加工部としての機能を有する。
【００１９】
配信元からのフライト情報は、出発／到着時刻、変更時刻、航空会社名、便名、行先／起点、経由地、ターミナル、ゲート番号、状況（「時刻変更」、「定刻」、「出国手続中」、「遅延」、「到着済み」などのフライト状況）、共同運航便等、多くの項目から構成される。これらの情報は空港では大画面表示器を用いて表示されるが、列車上では表示器１７の設置スペースに制限があるため、表示器の画面サイズにも必然的に制約があり、その大きさは空港に設置されている大画面表示器に比べて小さくなる。したがって、空港で表示されるものと同じ内容を車上の表示器１７にて同様に表示しようとすると文字サイズが小さくなり、視認性の確保ができず不適である。
【００２０】
そこで、本実施の形態では、まず、列車内の案内向けに表示項目の選択を行う。具体的には、出発案内であれば例えば、出発時刻（定刻）、変更時刻、便名、目的地、状況、およびターミナルを表示項目とする。また、到着案内であれば、到着時刻（定刻）、変更時刻、便名、出発地、状況、およびターミナルを表示項目とする。
【００２１】
このように、フライト情報クライアント７は、フライト情報サーバ５から配信されるフライト情報のうち車上で表示する表示項目を選択し、これらの選択されたデータを加工データ（第１加工データという）として記憶装置９に保存する。また、フライト情報クライアント７は、最新のフライト情報の配信を受けるごとに第１加工データを作成し、これを記憶装置９に保存する。なお、以下では、配信元から提供されたデータから表示項目を選択してなるデータを第１加工データと呼び、この第１加工データの表示内容にさらに加工を施したデータを第２加工データと呼ぶ。
【００２２】
また、表示器１７の画面サイズ（表示画面の大きさ）は列車種別ごとに異なる可能性があり、画面サイズに応じて表示項目を選択する必要がある。この場合、表示制御サーバ１２は、予め列車種別に関する情報、特に表示器１７に関する情報を無線通信により地上システム２のフライト情報クライアント７に伝送しておき、フライト情報クライアント７は表示器１７の画面サイズに応じて動的に上記第１加工データを作成する。
【００２３】
画面作成に際しては、画面サイズに応じて視認性を確保できるように各表示項目ごとに表示枠（表示項目毎に割り当てられた表示画面上の表示領域）が割り当てられる。しかしながら、表示項目の記載内容によっては表示枠の中にそのすべてが表示できない状況も発生する。例えば、目的地または出発地に使用する地名はその文字数にばらつきがあり、文字数が多いと字数制限を越えて割り当てられた表示枠内に収まらなくなる。このような場合、表示枠に応じて決められた一定文字数の表示とし、その文字数を超える場合は超える部分を省略記号で表すこととする。すなわち、フライト情報クライアント７は、表示内容によってはその一部を省略記号に置き換えた表示を行うように第１加工データをさらに加工したデータ（第２加工データ）を作成し、この第２加工データを記憶装置９に保持した上で所定のタイミングでこれを車上システム３へ送出する。省略記号としては、例えば「・・・」または「...」などを用いることができる。
【００２４】
地名の表示に関して具体例を述べると、日本語の場合、表示可能文字数を例えば８文字とし、例えば目的地が「サンクトペテルブルク」であれば、８文字以降を省略記号「・・・」で置換えて「サンクトペテル・・・」と表示する。ここで、「・・・」は１文字分の表示領域を占めているため、実際に地名表示に割り当て可能な文字数は７文字である。また、英語の場合、表示可能文字数を例えば１２文字として、例えば目的地が「WEST PALM BEACH」であれば、１２文字目以降を省略記号「...」で置き換えて「WEST PALM B...」と表示する。ここで、「...」は１文字分の表示領域を占めている。なお、このような省略記号を伴う表示方法は、地名以外の表示項目に対しても同様に適用できる。
【００２５】
ところで、空港での表示は、その時間に空港を利用している人向けであるため、基本的には現在時刻以降の発着便に関する表示をすればよい。しかし、列車内の乗客向けの表示の場合、例えば現在時刻の便に搭乗するわけではないので、そのような情報は基本的に不要である。したがって、列車内の表示としては、列車の空港への到着予定時刻以降または到着予定時刻から一定時間以降の便とするのが適当である。本実施の形態では、フライト情報クライアント７は、表示対象の便をこのように選択して最新の加工データ（第１加工データ）を作成し、この加工データを車上システム３に送信する。なお、表示対象の便を到着予定時刻から一定時間以降とする場合は、到着駅から空港内への移動時間などを考慮した場合である。また、到着予定時刻は列車のダイヤに基づいて動的に算出される。
【００２６】
次に、表示器１７を用いた表示態様について説明する。配信元のフライト情報サーバ５から配信されるフライト情報が例えば日本語と英語であれば、２台の表示器１７を用いてそれらを別画面に表示することも可能であるし、一台の表示器１７の同じ画面内に並べて表示することも可能である。また、上記以外の他言語で配信されれば、当該言語による表示も可能である。
【００２７】
図２は、本実施の形態におけるフライト情報の画面表示の一例を示す図である。図２では、出発案内について日本語と英語を別画面とした例であり、日本語による案内（ａ）と英語による案内（ｂ）とが異なる表示器１７にて表示された例を示している。なお、表示すべき画面が複数ページにわたる場合は、表示画面に現在の画面が何ページ目であるのかを表示する。例えば、図２（ａ）では、画面右上に「１／３０ページ」と表示しているが、これは現在の画面が３０ページ中の１ページ目であることを示している。図２（ｂ）では、これを英語で「１／３０page」と表示している。さらに、これらの表示画面には、当該フライト情報データがいつの時点のものかも表示する。すなわち、図２（ａ）では、画面右下に「更新時刻１３：１５」と表示して当該時刻に更新された情報であることを示している。また、図２（ｂ）では、これを英語で「Last Update １３：１５」と表示している。
【００２８】
図３は、本実施の形態におけるフライト情報の画面表示の別の一例を示す図である。図３でも図２と同様に、出発案内について日本語と英語を別画面とした例を示しているが、目的地または出発地の地名の文字数が上記一定文字数を超えた場合の表示例をしている。すなわち、図３（ａ）では、目的地である「ダラスフォートワース」を「ダラスフォート・・・」と表示し、図３（ｂ）では、対応する英語表記の「Dallas Fort Worth」を「DALLAS FORT...」と表示している。
【００２９】
なお、目的地または出発地の地名の表示に関して表示内容が文字数制限を越えた場合の表示方法として、他の方法も可能である。例えば、図４に示すように、目的地の表記として３文字からなるコード表示を行うこともできる。例えばＨＫＧは香港を表すコード表示である。この場合、予め地名とこれに対応するコード表示とを関連づける対応表を記憶装置９に保存しておき、フライト情報クライアント７は、データの中の地名の表示部分をコードで置き換えた加工データを作成する。コード表示では、一般的に文字数は短縮される。このようにすることで、目的地にまたは出発地に割り当てるべき表示枠が縮小されるので、表示画面内により多くの表示項目を表示することが可能となり、図４では例えば搭乗口についての表示も可能になっている。
【００３０】
ここで、表示器１７の設置箇所について説明する。各車両の表示器１７は、乗降ドア上または天井部に２台１組で並べて配置されることが多いが、このような配置形態のもとでのフライト情報の表示方法としては例えば下記のものが考えられる。すなわち、左右の表示は同期させ、
（１）左側表示器：出発案内（日本語表示)、右側表示器：出発案内（英語表示）
または、
（２）左側表示器：出発案内（日本語と英語の交互表示）、右側表示器：到着案内（日本語と英語の交互表示）
などが考えられる。（１）は、図２の（ａ）を左側表示器の表示とし、（ｂ）を右側表示器の表示とした場合に対応する。（２）は、図４の表示例に対応する。すなわち、図４において、（ａ）出発案内（日本語）と（ｃ）到着案内（日本語）がそれぞれ左側表示器と右側表示器に同期して表示された案内画面であり、これらは一定時間後、（ａ）は（ｂ）出発案内（英語）に切り替えられ、（ｃ）は（ｄ）到着案内（日本語）に切り替えられる。なお、本実施の形態では、列車内の表示器１７による表示内容としてフライト情報について説明しているが、これ以外の情報、例えば広告等をフライト情報の合間に表示することもできる。
【００３１】
次に、本実施の形態の動作について説明する。まず、フライト情報クライアント７は、フライト情報サーバ５から広域ネットワーク６経由でフライト情報を取得する。フライト情報クライアント７は、取得したデータを車上での表示画面（案内画面）での表示に適した形に加工する。具体的には、フライト情報クライアント７は、車上での表示画面の大きさ等を考慮して表示項目を選択し（第１加工データ）、表示項目によって表示枠に収まらない場合などはさらにデータに加工を施す（第２加工データ）。
【００３２】
続いて、フライト情報クライアント７は、定期的にまたは車上システム３からの要求に応じて加工データ（第２加工データ）を情報伝送装置８により車上システム３へ送信する。加工データは、情報伝送装置８から地上−車上間ネットワーク４を経由して無線通信により車上の無線装置１１に送信される。
【００３３】
無線装置１１は加工データを受信すると、この加工データを表示制御サーバ１２に送る。そして、表示制御サーバ１２は、受信した加工データを各車両に搭載された表示制御装置１５に配信する。表示制御装置１５は、取得した加工データから表示画面（案内画面）を作成し、これを最新の表示画面として表示器１７を用いてフライト情報の表示・提供を行う。
【００３４】
以上説明したように、本実施の形態によれば、列車内でも最新のフライト情報の表示が可能となり、乗客は空港到着までに列車内での表示画面から自分が必要とするフライト情報を取得することができる。また、列車内では設置スペースの制約から表示器の画面の大きさにも制限があるが、配信元からのデータを加工することで、列車内に適した表示を行うことが可能となり、視認性を確保することができる。また、本システムを導入することにより、乗客サービスの向上に寄与することができる。
【００３５】
実施の形態２．
本実施の形態では、フライト情報の加工を車上システム３で行う。地上システム２では、配信元のフライト情報サーバ５から取得したデータをそのまま無線通信で車上システム３へ送信する。車上システム３では、受信したデータに対して実施の形態１のようなデータの加工を行う。データ加工は、表示制御サーバ１２または表示制御装置１５で行うことができる。なお、本実施の形態の構成は、図１の構成と同様である。
【００３６】
まず、表示制御サーバ１２でデータの加工を行う場合について説明する。フライト情報クライアント７は、フライト情報サーバ５から広域ネットワーク６経由でフライト情報を取得する。フライト情報クライアント７は、取得したデータを情報伝送装置８により車上システム３へ送信する。データは、情報伝送装置８から地上−車上間ネットワーク４を経由して無線通信により車上の無線装置１１に送信される。
【００３７】
無線装置１１はデータを受信すると、このデータを表示制御サーバ１２に送る。表示制御サーバ１２は、取得したデータを車上での表示画面（案内画面）での表示に適した形に加工する。具体的には、表示制御サーバ１２は、車上での表示画面の大きさ等を考慮して表示項目を選択し（第１加工データ）、表示項目によって表示枠に収まらない場合などはさらにデータに加工を施す（第２加工データ）。続いて、表示制御サーバ１２は、加工データを各車両に搭載された表示制御装置１５に配信する。表示制御装置１５は、取得した加工データから表示画面（案内画面）を作成し、これを最新の表示画面として表示器１７を用いてフライト情報の表示・提供を行う。
【００３８】
次に、表示制御装置１５でデータの加工を行う場合について説明する。フライト情報サーバ５から無線装置１１までのデータの流れは表示制御サーバ１２でデータの加工を行う場合と同様なので省略する。無線装置１１はデータを受信すると、このデータを表示制御サーバ１２に送る。表示制御サーバ１２は、受信したデータを各車両に搭載された表示制御装置１５に配信する。表示制御装置１５は、取得したデータを車上での表示画面（案内画面）での表示に適した形に加工する。具体的には、表示制御装置１５は、車上での表示画面の大きさ等を考慮して表示項目を選択し（第１加工データ）、表示項目によって表示枠に収まらない場合などはさらにデータに加工を施す（第２加工データ）。続いて、表示制御装置１５は、加工データから表示画面（案内画面）を作成し、これを最新の表示画面として表示器１７を用いてフライト情報の表示・提供を行う。
【００３９】
なお、第１加工データの作成を表示制御サーバ１２で行い、第２加工データの作成を表示制御装置１５で行うという構成も可能である。
【００４０】
本実施の形態の効果は実施の形態１と同様である。ただし、車上でデータ加工を行うので表示器１７の画面サイズ等の情報を予め地上システム２に伝送する必要がない。
【００４１】
実施の形態３．
実施の形態１では地上システム２でデータ加工を行い、実施の形態２では車上システム３でデータ加工を行ったが、これ以外の態様も可能である。
【００４２】
例えば、フライト情報の加工を配信元のフライト情報サーバ５で行うこともできる。この場合、フライト情報サーバ５から提供されるのは第２加工データであって、この加工データが地上システム２に配信された後、地上−車上ネットワーク４を経由して車上システム３へ送信される。車上システム３では、表示制御サーバ１２が受信した加工データを表示制御装置１５に配信し、表示制御装置１５は当該加工データから表示画面を生成してこれを表示器１７に表示させる。
【００４３】
また、配信元から第１加工データの配信を受け、第２加工データの作成を地上システム２または車上システム３で行うこともできる。あるいは、第１加工データの作成は地上システム２で行い、第２加工データの作成を車上システム３で行うこともできる。
【００４４】
一般的に説明すれば、図５に示すようになる。図５は、本実施の形態にかかる列車搭載フライト情報表示システムの機能構成を説明するためのブロック図である。列車搭載フライト情報表示システムは、配信元から提供されるフライト情報に関するデータから列車上の表示画面の大きさに応じて表示項目を選択して第１加工データを作成する第１のデータ加工部２０と、前記第１加工データの表示項目の内容を加工して第２加工データを作成する第２のデータ加工部２１と、前記列車の各車両に搭載され前記第２加工データから表示画面を作成する表示制御装置１５と、前記各車両に搭載され前記表示制御装置１５の作成した表示画面を表示する表示器１７と、を備えることになる。なお、表示制御装置１５および表示器１７は図１の各車両のものを表している。そして、実施の形態１では、フライト情報クライアント７に第１のデータ加工部２０および第２のデータ加工部２１としての機能を付与し、実施の形態２では、表示制御サーバ１２または表示制御装置１５に第１のデータ加工部２０および第２のデータ加工部２１としての機能を付与している。上述のように、例えば第１のデータ加工部２０としての機能をフライト情報クライアント７に付与するとともに第２のデータ加工部２１としての機能を表示制御サーバ１２または表示制御装置１５に付与するなど、種々の組み合わせが可能である。
【００４５】
本実施の形態のその他の構成、動作、効果は実施の形態１，２と同様である。
【産業上の利用可能性】
【００４６】
以上のように、本発明にかかる列車搭載フライト情報表示システムは、列車内で最新のフライト情報を提供するシステムとして有用である。
【符号の説明】
【００４７】
１  列車搭載フライト情報表示システム
２  地上システム
３  車上システム
４  地上−車上間ネットワーク
５  フライト情報サーバ
６  広域ネットワーク
７  フライト情報クライアント
８  情報伝送装置
９，１３，１６  記憶装置
１１  無線装置
１２  表示制御サーバ
１４  列車内ネットワーク
１５  表示制御装置
１７  表示器
２０  第１のデータ加工部
２１  第２のデータ加工部
【図１】
2010140517.tif 000003
【図２】
2010140517.tif 000004
【図３】
2010140517.tif 000005
【図４】
2010140517.tif 000006
【図５】
2010140517.tif 000007
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
フライト情報の配信元のフライト情報サーバから広域ネットワーク経由でフライト情報に関するデータを取得し、このデータを予め与えられた列車内の表示器に関する情報に基づき前記表示器の表示画面の大きさに応じて表示に適した形に予め加工した加工データを作成するフライト情報クライアントを含む地上システムと、
前記列車に搭載され前記フライト情報クライアントから無線通信により送信された前記加工データを受信する表示制御サーバと、当該列車の各車両に搭載され前記表示制御サーバにより列車内ネットワークを介して配信された前記加工データから表示画面を作成する表示制御装置と、前記各車両に搭載され前記表示制御装置の作成した表示画面を表示する前記表示器と、を含む車上システムと、
前記地上システムと前記車上システムとを無線通信で接続する地上−車上間ネットワークと、
を備え、
前記表示制御サーバは、前記地上−車上間ネットワークを介した無線通信により、当該列車内の前記表示器に関する情報を前記フライト情報クライアントに伝送することを特徴とする列車搭載フライト情報表示システム。
【請求項２】
前記フライト情報クライアントは、前記表示画面の大きさに応じて前記フライト情報サーバから配信されたデータの中から表示項目を選択したものを前記加工データとすることを特徴とする請求項１に記載の列車搭載フライト情報表示システム。
【請求項３】
前記フライト情報クライアントは、前記表示項目の一つである航空機の便については、前記列車の空港への到着予定時刻以降または到着予定時刻から一定時間以降の発着便を対象に表示するように便を選択して前記加工データを作成することを特徴とする請求項１または２に記載の列車搭載フライト情報表示システム。
【請求項４】
前記フライト情報クライアントは、前記加工データの表示項目に対して、その表示内容が前記表示項目に対して割り当てられた表示画面上の表示枠内にその字数制限を越えるために表示できない場合には、前記表示枠に応じて決まる一定文字数のみを表示するとともに表示できない部分を省略記号で置き換えて表示するように前記加工データを作成することを特徴とする請求項１〜３のいずれか１項に記載の列車搭載フライト情報表示システム。
【請求項５】
前記フライト情報クライアントは、前記加工データの表示項目に対して、前記表示項目の内容をそれと等価なコードに置き換えて表示するように前記加工データを作成することを特徴とする請求項１〜４のいずれか１項に記載の列車搭載フライト情報表示システム。
【請求項６】
前記表示制御装置は、出発案内として、出発時刻（定刻）、変更時刻、便名、目的地、状況、およびターミナルを表示項目として含む表示画面を作成することを特徴とする請求項１〜５のいずれか１項に記載の列車搭載フライト情報表示システム。
【請求項７】
前記表示制御装置は、到着案内として、到着時刻（定刻）、変更時刻、便名、出発地、状況、およびターミナルを表示項目として含む表示画面を作成することを特徴とする請求項１〜６のいずれか１項に記載の列車搭載フライト情報表示システム。
【請求項８】
前記各車両には２台１組で前記表示器が並べて設置されており、
前記表示制御装置は、一方の表示器による表示と他方の表示器による表示とを同期させて表示することを特徴とする請求項１〜７のいずれか１項に記載の列車搭載フライト情報表示システム。
【請求項９】
前記一方の表示器には日本語による表示を行い、前記他方の表示器には日本語以外の言語による表示を同期させて表示することを特徴とする請求項８に記載の列車搭載フライト情報表示システム。
【請求項１０】
フライト情報の配信元のフライト情報サーバから広域ネットワーク経由でフライト情報に関するデータを取得するフライト情報クライアントを含む地上システムと、
列車に搭載され前記フライト情報クライアントから無線通信により送信された前記データを受信し、前記データを予め与えられた当該列車内の表示器に関する情報に基づき前記表示器の表示画面の大きさに応じて表示に適した形に予め加工した加工データを作成する表示制御サーバと、当該列車の各車両に搭載され前記表示制御サーバにより列車内ネットワークを介して配信された前記加工データから表示画面を作成する表示制御装置と、前記各車両に搭載され前記表示制御装置の作成した表示画面を表示する前記表示器と、を含む車上システムと、
前記地上システムと前記車上システムとを無線通信で接続する地上−車上間ネットワークと、
を備えることを特徴とする列車搭載フライト情報表示システム。
【請求項１１】
フライト情報の配信元のフライト情報サーバから広域ネットワーク経由でフライト情報に関するデータを取得するフライト情報クライアントを含む地上システムと、
列車に搭載され前記フライト情報クライアントから無線通信により送信された前記データを受信する表示制御サーバと、当該列車の各車両に搭載され前記表示制御サーバにより列車内ネットワークを介して配信された前記データを予め与えられた当該列車内の表示器に関する情報に基づき前記表示器の表示画面の大きさに応じて表示に適した形に予め加工した加工データを作成し、この加工データから表示画面を作成する表示制御装置と、前記各車両に搭載され前記表示制御装置の作成した表示画面を表示する前記表示器と、を含む車上システムと、
前記地上システムと前記車上システムとを無線通信で接続する地上−車上間ネットワークと、
を備えることを特徴とする列車搭載フライト情報表示システム。
【請求項１２】
配信元から提供されるフライト情報に関するデータから、予め与えられた列車内の表示器に関する情報に基づき前記表示器の表示画面の大きさに応じて表示項目を選択して第１加工データを作成する第１のデータ加工部と、
前記第１加工データの表示項目の内容を加工して第２加工データを作成する第２のデータ加工部と、
前記列車の各車両に搭載され前記第２加工データから表示画面を作成する表示制御装置と、
前記各車両に搭載され前記表示制御装置の作成した表示画面を表示する前記表示器と、
を備えることを特徴とする列車搭載フライト情報表示システム。
【国際調査報告】
2010140517.tif 000008
2010140517.tif 000009
2010140517.tif 000010
2010140517.tif 000011